(57)【要約】【課題】ヒートシンクアセンブリは圧縮機を通る空気の経路内に延伸するため、ヒートシンクアセンブリと軸受アセンブリの比較的良好な冷却が達成され、軸受アセンブリ及び圧縮機の寿命を長くする、圧縮機を提供する。【解決手段】圧縮機１はフレーム２と、回転子アセンブリ４と、ヒートシンクアセンブリ５とを備える。回転子アセンブリ４はヒートシンクアセンブリ５が固定される軸受アセンブリを含む。圧縮機１は、使用中に、空気がフレームの内部を通って引き込まれるように構成される。ヒートシンクアセンブリ５は、空気がヒートシンクアセンブリ５の上を流れるよう軸受アセンブリからフレーム２を通る空気の経路に径方向に延伸する。【選択図】図２
2014219007.tif 000002
【特許請求の範囲】
【請求項１】
フレームと、回転子アセンブリと、ヒートシンクアセンブリとを備え、前記回転子アセンブリは前記ヒートシンクセンブリが固定される軸受アセンブリを備え、前記圧縮機は、使用中に、空気が前記フレームの内部を通って引き込まれるように構成され、前記ヒートシンクアセンブリは、前記空気が前記ヒートシンクアセンブリの上を流れるように前記フレームを通り空気の経路へと前記軸受アセンブリから径方向に延伸する、
圧縮機。
【請求項２】
前記ヒートシンクアセンブリは前記軸受アセンブリから径方向に延伸する複数の脚を有するヒートシンクを備え、前記空気は隣接する脚の間を軸方向に流れる、請求項１に記載の圧縮機。
【請求項３】
前記脚は前記軸受アセンブリの周りに均等に間隔を有する、請求項２に記載の圧縮機。
【請求項４】
各脚の幅は前記軸受アセンブリから離れる方向にテーパ状になっている、請求項２又は請求項３に記載の圧縮機。
【請求項５】
前記ヒートシンクアセンブリは全体に円盤形状のヒートシンクを備え、前記空気は前記ヒートシンクの表面上を径方向に流れる、請求項１乃至請求項４の何れか一項に記載の圧縮機。
【請求項６】
前記回転子アセンブリはインペラーを備え、前記ヒートシンクは前記インペラーの下に配置され、前記空気は前記ヒートシンクの上を径方向内側方向に流れる、請求項５に記載の圧縮機。
【請求項７】
前記ヒートシンクは前記インペラーの裏側に突出する、請求項６に記載の圧縮機。
【請求項８】
前記ヒートシンクアセンブリはスリーブと、一方の端部で前記スリーブに固定される第１のシートシンクと、反対側の端部で前記スリーブに固定される第２のヒートシンクとを備え、前記スリーブは前記軸受アセンブリに固定され、前記第１のヒートシンクは全体が円盤形状であり、前記第２のヒートシンクは前記スリーブから径方向に延伸する複数の脚を備え、前記空気は前記第１のヒートシンクの表面の上を径方向に流れ、前記空気は前記第２のヒートシンクの前記脚の間を軸方向に流れる、請求項１乃至請求項７の何れか一項に記載の圧縮機。
【発明の詳細な説明】
【技術分野】
【０００１】
本発明は圧縮機に関する。
【背景技術】
【０００２】
小型サイズの圧縮機を設計するための努力が継続して行われている。小型の圧縮機は小型のインペラーを使用することにより達成され得る。
【発明の概要】
【発明が解決しようとする課題】
【０００３】
しかし、小型のインペラーは同じ質量の流れを達成するために速い速度で回転する必要がある。速い回転速度は通常、故障する圧縮機の最初の部品になることが多い軸受の寿命を短くする。その結果、小型の圧縮機を設計する努力はしばしば寿命の問題を抱えている。
【課題を解決するための手段】
【０００４】
本発明は圧縮機を提供し、圧縮機はフレームと、回転子アセンブリと、ヒートシンクアセンブリとを含み、回転子アセンブリはヒートシンクセンブリが固定される軸受アセンブリを含み、圧縮機は、使用中に、空気がフレームの内部を通って引き込まれるように構成され、ヒートシンクアセンブリは、空気がヒートシンクアセンブリの上を流れるよう軸受アセンブリからフレームを通る空気の経路に径方向に延伸する。
【０００５】
ヒートシンクアセンブリは熱を軸受アセンブリから離して伝達する役割を果たす。ヒートシンクアセンブリは圧縮機を通る空気の経路内に延伸するため、ヒートシンクアセンブリと軸受アセンブリの比較的良好な冷却が達成され得る。その結果、軸受アセンブリ及び圧縮機の寿命が長くなり得る。
【０００６】
ヒートシンクアセンブリは軸受アセンブリから径方向に延伸する複数の脚を有するヒートシンクを含み得、空気は隣接する脚の間の空間を通って軸方向に流れ得る。これはヒートシンクが突出して、フレームを通る空気の流れを不利に制限せずに空気の経路に直接入るという利点を有する。その結果、圧縮機の性能に悪影響を与えずに軸受アセンブリの比較的良好な冷却が達成され得る。
【０００７】
脚は軸受アセンブリの周りに均等に間隔を有し得る。その結果、熱はヒートシンクから周囲空気へより均一に伝達され得る。ヒートシンクアセンブリは各脚の端部においてフレームに固定され得る。ヒートシンクアセンブリはフレーム内で回転子アセンブリを支持する役割を果たす。脚を軸受アセンブリの周りに均等な間隔を有して配置することにより、回転子アセンブリの振動が脚の間に均等に分配される。その結果、振動と振動が生じさせる固有の騒音が減少する。
【０００８】
各脚の幅は軸受アセンブリから離れる方向にテーパ状になり得る。各脚の温度及び熱伝達の速度は、軸受アセンブリから離れるにしたがって低下する。従って、脚の幅をテーパ状にすることにより、ヒートシンクの質量は冷却に悪影響を及ぼさずに減少され得る。その結果、より軽量で安価な圧縮機が実現され得る。
【０００９】
ヒートシンクアセンブリは全体に円盤形状のヒートシンクを含み得、空気はヒートシンクの表面上を径方向に流れ得る。円盤形状のヒートシンクは、比較的広い表面領域を提供し、その表面領域の上で熱が周囲空気に伝達され得るという利点を有する。
【００１０】
ヒートシンクはインペラーの下に配置され得、空気はヒートシンクの上を径方向内側方向に流れ得る。インペラーの下に配置される状態で、ヒートシンクはインペラーを含む圧縮機の一部として機能し得る。比較的少ない空気の移動がインペラーの下で発生する。しかし、インペラーを出る空気が戻されてヒートシンクの上を径方向に流れることを確実にすることにより、ヒートシンクの比較的良好な冷却が達成され得る。この点において、空気がインペラーの遠位にあるヒートシンクの表面の上を径方向に流れることが理解されるであろう。
【００１１】
ヒートシンクはインペラーの裏側に突出し得る。これはインペラーの下の空洞の大きさを減らすという利点を有する。その結果、風損及び／又は他の寄生損失が減少され得る。
【００１２】
ヒートシンクアセンブリは金属で形成され得る。金属は通常、比較的高い構造上の強度と高い熱伝導率を有する。その結果、ヒートシンクアセンブリは回転子アセンブリの移動に対して良好な抵抗を提供し、よって振動及び騒音を減らし、且つ軸受アセンブリの比較的良好な冷却を提供することができる。
【００１３】
ヒートシンクアセンブリはシャフトの熱膨張係数にほぼ一致する熱膨張係数を有する材料から形成され得る。その結果、軸受アセンブリの負荷に不利な変化をもたらす可能性のあるヒートシンクアセンブリとシャフトの不均一な熱膨張が避けられ得る。
【００１４】
本発明をより容易に理解され得るようにするため、本発明の実施形態は例示として、添付の図面を参照して記載される。
【図面の簡単な説明】
【００１５】
【図１】本発明による圧縮機の不等角投影図である。
【図２】圧縮機の分解図である。
【図３】圧縮機のフレームの第１の不等角投影図である。
【図４】圧縮機のフレームの第２の不等角投影図である。
【図５】圧縮機のシュラウドの不等角投影部分図である。
【図６】圧縮機の回転子アセンブリの不等角投影図である。
【図７】圧縮機のヒートシンクアセンブリの側面図である。
【図８】ヒートシンクアセンブリの第１の不等角投影図である。
【図９】ヒートシンクアセンブリの第２の不等角投影図である。
【図１０】圧縮機の固定子アセンブリの不等角投影図である。
【図１１】圧縮機の部分組立品の不等角投影図である。
【図１２】圧縮機を組み込んだ製品の不等角投影図である。
【図１３】圧縮機を収納する製品の部分の断面図である。
【図１４】図１３の断面図と同様の、製品を流れる空気が通る経路を強調した図である。
【発明を実施するための形態】
【００１６】
図１から図１１の圧縮機（コンプレッサ）１はフレーム２、シュラウド（覆い）３、回転子アセンブリ４、ヒートシンクアセンブリ５、固定子アセンブリ６、及び回路アセンブリ７を含む。
【００１７】
フレーム２は全体に円筒形状であり、側壁２０と、端部壁２１と、側壁２０の周りに配置された複数の入口開口（入口アパーチャ）２２と、側壁２０の内部に配置された複数のポケット２３及び複数の溝２４と、端部壁２１に配置された中央開口（中央アパーチャ）２５と、端部壁２１の周りに配置された複数のディフューザー・ベーン２６を備える。ポケット２３と溝２４は側壁２０の内部に沿って軸方向に延伸する凹部の形状をとる。凹部は一端が開かれ（端部壁２１の遠位）、反対側の端部が閉じられ（端部壁２１の近位）ている。端部壁２１は側端部２０の一端部に配置されて環帯に類似し、周りにディフューザー・ベーン２６が配置される。側壁２０の反対側の端部は開口しており複数の突起２８で終結する。
【００１８】
シュラウド３は入口３０と、広がった内側部分３１と、平らな外側部分３２と外側部分３２を通って延伸する複数の穴３３を備える。内側部分３１は回転子アセンブリ４のインペラー４１をシュラウド、外側部分３２はフレーム２の端部壁２１を覆う。ディフューザー・ベーン２６のそれぞれはシュラウド３の穴３３のそれぞれを通って延伸する突起を含む。環状の接着剤３４が、シュラウド３をベーン２６に固定して穴３３を封止する。よってシュラウド３及び端部壁２１はインペラー４１を囲むディフューザー３５を画定する。
【００１９】
回転子アセンブリ４はシャフト４０を備え、シャフト４０にインペラー４１と、軸受アセンブリ４２と回転子コア４３が固定される。軸受アセンブリ４２はインペラー４１と回転子コア４３の間に配置され、１対の軸受４４、４５とバネ４６を備える。バネ４６は２つの軸受４４、４５の間に配置され、軸受４４、４５のそれぞれに前もって負荷を与える。
【００２０】
ヒートシンクアセンブリ５は、円筒形スリーブ５０と、スリーブ５０の一方の端部に固定された第１のヒートシンク５１と、スリーブ５０の反対側の端部に固定された第２のヒートシンク５２とを備える。第１のヒートシンク５１は全体に円盤形状であり、盛り上がったドーム形状の中央部５３と平坦な外側フランジ５４を備える。第２のヒートシンク５２は拍車の花車に類似し、中央ハブ５５を備え、中央ハブ５５から複数の脚５６が径方向外側に延伸する。脚５６はハブ５５の周りに均等に間隔を有する。つまり、隣接する脚５６の間の角度はヒートシンク５２の全ての脚５６に対して同じである。本実施形態では、ヒートシンク５２は６０°の間隔を有する６個の脚５６を有する。各脚５６の幅はハブ５５から離れる方向にテーパ状（即ち、徐々に減少する）になっている。
【００２１】
ヒートシンクアセンブリ５は回転子アセンブリ４に固定される。より具体的には、スリーブ５０は両方の軸受４４、４５を囲み、軸受４４、４５のそれぞれに接着剤により固定される。インペラー４１の裏面は窪んでおり、それはインペラー４１の質量を減らすのに役立つ。ヒートシンクアセンブリ５は、第１のヒートシンク５１のドーム形状の中央部５３がインペラー４１の裏側に突出するように回転子アセンブリ４に固定される。これはインペラー４１の下の空洞の大きさを減らす。その結果、風損及び／又は他の寄生損失が減少する。
【００２２】
固定子アセンブリ６は１対の固定子コア６０、６１を備え、各固定子コアはボビン６２を備え、ボビン６２の周りに電気巻線６３が巻かれ、１対の端子コネクタ６４が巻線６３に連結される。固定子アセンブリ６はヒートシンクアセンブリ５に固定される。各ボビン６２は第２のヒートシンク５２の２つの脚５６に接着剤で固定される。ボビン６２の接着点はヒートシンク５２の脚５６に完全に整列しているというわけではない。したがって、固定子アセンブリ６が固定される４つの脚５６のそれぞれはボビン６２とヒートシンク５２の間の接着剤の固定部の役割を果たす小さな突起５７を含む。
【００２３】
回転子アセンブリ４、ヒートシンクアセンブリ５及び固定子アセンブリ６を備える部分組立品８はフレーム２内に固定される。第１のヒートシンク５１の外側フランジ５４はフレーム２の端部壁２１に環状の接着剤により固定される。第２のヒートシンク５２の脚５６のそれぞれは、それぞれのポケット２３に接着剤のビーズにより固定される。最後に、固定子コア６０、６１の角は溝２４内に配置された接着剤によりフレーム２に固定される。よって部分組立品８は第１のヒートシンク５１の外側フランジ５４の周りにおいて、第２のヒートシンク５２の脚５６の端部において、及び固定子コア６０、６１の角においてフレーム２に固定される。
【００２４】
回路アセンブリ７は圧縮機１の動作を制御する電子部品７１が取り付けられる回路板７０を備える。回路アセンブリ７はフレーム２及び固定子アセンブリ６に固定される。より具体的には、回路板７０はフレーム２の突起２８に接着剤により固定され、固定子アセンブリ６の端子コネクタ６４は回路板７０にはんだ付けされる。
【００２５】
圧縮機１を組み立てる方法を記載する。
【００２６】
最初にヒートシンクアセンブリ５を回転子アセンブリ４に固定する。これは環状の接着剤をインペラー４１の近位にある軸受４４の周りに付加し、環状の活性剤をスリーブ５０の第１のヒートシンク５１に隣接した端部の内側周辺に付加し、更に環状の接着剤をスリーブ５０の第２のヒートシンク５２に隣接した端部の内側周辺に付加することにより達成される。その後回転子アセンブリ４は、スリーブ５０が軸受４４、４５の両方を包囲するまでスリーブ５０内に挿入される。スリーブ５０内の活性剤はインペラー４１に隣接する軸受４４の周りの接着剤を硬化させる。それから紫外線光を使用し、回転子コア４３に隣接する軸受４５の周りの接着剤を硬化させる。最終結果として、スリーブ５０が軸受４４、４５の両方に接着される。
【００２７】
その後、固定子アセンブリ６がヒートシンクアセンブリ５に固定される。これは固定子アセンブリ６を治具の一方の部分内に取り付け、回転子とヒートシンクのアセンブリ４、５を治具の他方の部分に取り付けることにより達成される。治具は回転子アセンブリ４と固定子アセンブリ６が、より詳しくは回転子コア４３と固定子コア６０、６１が相対的に整列することを確実にする。２つの小さな接着剤のビーズがボビン６２のそれぞれに付加され、治具の２つの部分が、ボビン６２が第２のヒートシンク５２の脚５６に接触するように接合される。それから、接着剤は紫外線光を使用して硬化される。
【００２８】
その後、回転子アセンブリ４と、ヒートシンクアセンブリ５と固定子アセンブリ６とを備える部分組立品８がフレーム２に固定される。部分組立品８は治具の一方の部分内に取り付けられ、フレーム２が他方の部分に取り付けられる。治具は回転子アセンブリ４とフレーム２の、より詳しくはインペラー４１とディフューザー・ベーン２６が配置される端部壁２１が相対的に整列することを確実にする。環状の熱硬化性接着剤がフレーム２の端部壁２１の内表面に付加される。熱硬化性接着剤のビーズもフレーム２のポケット２３のそれぞれに付加される。治具の２つの部分は接合され、部分組立品８は開口端部を介してフレーム２に挿入される。第１のヒートシンク５１の外径はインペラー４１の外径より大きく、よってヒートシンク５１の外側フランジ５４はインペラー４１を越えて径方向へ延伸する。フレーム２の端部壁２１内の中央開口２５の直径はインペラー４１の直径より大きいが、第１のヒートシンク５１の直径より小さい。治具の２つの部分が接合されると、インペラー４１は中央開口２５を通過する。第１のヒートシンク５１の外側フランジ５４は端部壁２１の周りに形成された環状の接着剤に接触する。尚、第２のヒートシンク５２の各脚５６はそれぞれのポケット２３に入る。紫外線硬化性接着剤が固定子アセンブリ６に固定されていないヒートシンク５２の２本の脚５６に付加される。これらの２つの接着剤のビーズは硬化し、部分組立品８をフレーム２に一時的に保持する。更に熱硬化性接着剤がフレーム２の溝２４に注入され、熱硬化性接着剤は固定子コア６０、６１の角をフレーム２に固定する役割を果たす。フレーム２及び部分組立品８は治具から外され、オーブンに入れられ熱硬化性接着剤が硬化される。
【００２９】
その後、シュラウド３がフレーム２に固定される。再び、シュラウド３が治具の一方の部分に取り付けられ、フレーム２と部分組立品８が治具の他方の部分に取り付けられる。治具はシュラウド３と回転子アセンブリ４、より詳しくはシュラウド３とインペラー４１が相対的に整列することを確実にする。治具はまた、シュラウド３の穴３３とフレーム２のディフューザー・ベーン２６が相対的に整列することを確実にする。治具の２つの部分は接合され、シュラウド３がインペラー４１とフレーム２の端部壁２１を覆うようにする。シュラウド３の外側部分３２はディフューザー・ベーン２６の上部と接触してその上に位置し、各突起はそれぞれの穴３３を通って突出する。環状の接着剤３４がシュラウド３の周りに付加され、環状の接着剤はシュラウド３を突起に固定し且つ穴３３を封止する役割を果たす。その後接着剤は空気中で硬化される。
【００３０】
最後に、回路アセンブリ７がフレーム２と固定子アセンブリ６に固定される。回路アセンブリ７は治具の一方の部分に取り付けられ、シュラウド３と、フレーム２と部分組立品８とが治具の他方の部分に取り付けられる。数個の接着剤のビーズが回路基板７０の外周の周りの点に付加される。治具の２つの部分は接合され、その結果端子コネクタ６４が回路基板７０の穴を通過し、回路基板７０がフレーム２の突起２８に接触する。接着剤はその後硬化し、端子コネクタ６４は回路基板７０にはんだ付けされる。その後、完成した圧縮機１が治具から外される。
【００３１】
この組み立て方法に関連して、２、３の利点が存在する。
【００３２】
第１に、回転子アセンブリ４は、フレーム２に固定する前に、完全なユニットとしてバランスが取られ得る。これは固定子アセンブリ４がヒートシンクアセンブリ５によりフレーム２に固定されているため可能となる。更に、第１のヒートシンク５１の外径はインペラー４１の外径より大きく、フレーム２の端部壁２１の開口２５はインペラー４１の直径より大きいが、第１のヒートシンク５１の直径より小さい。これは回転子アセンブリ４をフレーム２に挿入して完全なユニットとして固定することを可能にする。従来の圧縮機では、回転子アセンブリの様々な部品をフレーム内で組み立てることがしばしば必要となる。したがって、個々の部品のバランスは取られ得るが、完成した回転子アセンブリは全体にバランスが取られていない。
【００３３】
第２に、回転子アセンブリ４が固定子アセンブリ６、ディフューザー３５及びシュラウド３とより良く整列され得る。従来の圧縮機では、回転子アセンブリと固定子アセンブリは通常別個の組立体としてフレームに固定される。しかし、回転子アセンブリがフレーム内に固定された時、固定子アセンブリを回転子アセンブリに対して整列させると同時にフレーム内に固定するのは一般的に困難である。回転子アセンブリと固定子アセンブリの整列の公差の結果、公差限界において回転子コアが固定子コアに接触せずに自由に回転することを確実にするために回転子コアと固定子コアの間に大きな空隙が必要となる。しかし、大きな空隙は磁気抵抗を増加させるという欠点がある。上述の組み立て方法では、固定子アセンブリ６は最初に回転子アセンブリ４に対して整列され、その後ヒートシンクアセンブリ５に固定される。回転子アセンブリ４、ヒートシンクアセンブリ５及び固定子アセンブリ６を備える部分組立品８はフレーム２に固定され、その間に回転子アセンブリ４は端部壁２１及びディフューザー・ベーン２６に対して整列する。ヒートシンクアセンブリ５は回転子アセンブリ４と固定子アセンブリ６の両方に固定されているため、ヒートシンクアセンブリ５は回転子アセンブリ４と固定子アセンブリ６の相対的整列を維持する。その結果、回転子アセンブリ４がフレーム２に対して整列すると、固定子アセンブリ６との整列が維持される。よって小さな空隙が回転子コア４３と固定子コア６０、６１の間に採用され得る。
【００３４】
圧縮機１の動作を、この特定の例は手持ち式の電気掃除機であるが、図１２から図１４に例示された製品１００を参照して説明する。
【００３５】
製品１００はハウジング１０１を備え、ハウジングの中には圧縮機１が軸方向の取り付け具１１０と径方向の取り付け具１２０により取り付けられている。取り付け具１１０、１２０のそれぞれは弾性材料から形成され、ハウジング１０１を圧縮機１により生じる振動から隔離する役割を果たす。軸方向の取り付け具１１０はシュラウド３の形状と同様の形状であり、シュラウド３の上部に固定される。径方向の取り付け具１２０はスリーブ１２１と、スリーブ１２１の一端に配置されたリップシール１２２と、スリーブ１２１に沿って延伸しその周りに間隔を有して設けられる複数の軸方向のリブ１２３とを備える。径方向の取り付け具１２０は圧縮機１のフレーム２の周りに固定される。より詳細には、スリーブ１２１はリップシール１２２が側壁２の入口開口２２の下に位置するようフレーム２の側壁２０を囲む。
【００３６】
ハウジング１０１は前方部１０２と後方部１０３を備え、前方部及び後方部は共に全体的に円筒形の凹部１０４を画定し、凹部の中に圧縮機１が取り付けられる。前方部１０２は入口１０５を含み、入口を通して空気が圧縮機１に流入可能であり、後方部１０３は複数の排気開口１０６を備え、排気開口を通して圧縮機１からの空気が排出される。軸方向の取り付け具１１０は前方部１０２の端部壁１０７に当接し、圧縮機１と入口１０５のシールを形成する。尚、径方向の取り付け具１２０は、リップシール１２２が圧縮機１と側壁１０８のシールを形成するよう前方部１０２の側壁１０８に当接する。
【００３７】
作動する間、空気がシュラウドの入口３０を経由して圧縮機１内に入る。空気はインペラー４１により遠心力で外側に移動しフレーム２とシュラウド３の間に画定されるディフューザー３５を通って流れる。その後空気はフレーム２とシュラウド３の周囲の軸方向の隙間により画定される環状開口３６を経由して圧縮機１から出る。圧縮機１から出ると、空気はフレーム２の側壁２０内の入口開口２２を経由して再び圧縮機１に入る。それから空気は圧縮機１の内部を通って流れ、その後すぐに空気はヒートシンクアセンブリ５を冷却する役割を果たす。空気は第１のヒートシンク５１を越えて径方向に流れ、スリーブ５０及び第２のヒートシンク５２を越えて軸方向に流れる。第２のヒートシンク５２の脚５６は圧縮機１を通過して流れる空気が通る経路に直接延伸する。その結果、第２のヒートシンク５２の冷却は特に効果的になる。ヒートシンク５２の脚５６を通過した後、空気は固定子アセンブリ６を越えて流れ、固定子アセンブリを冷却する。最後に、空気は回路アセンブリ７により径方向に方向転換され、その後すぐに回路基板７０とフレーム２の側壁２０の間の隙間７２を経由して圧縮機１を出る。回路アセンブリ７を越えて流れる際、空気は回路アセンブリ７の電子部品７１を冷却する。特に、回路アセンブリ７は固定子アセンブリ６の巻線６３を通る電流の流れを制御するのに使用される電源スイッチを備える。スイッチにより運ばれる電流の大きさのため、スイッチは比較的高いレベルの熱を発生しがちである。
【００３８】
ヒートシンクアセンブリ５は少なくとも３つの有用な機能を提供する。
【００３９】
第１に、ヒートシンクアセンブリ５はフレーム２内の回転子アセンブリ４を支持する。この点において、回転子アセンブリ４は如何なる他の手段によってもフレーム２に固定されていない。ヒートシンクアセンブリ５を設けることにより、回転子アセンブリ４はフレーム２に固定される前に完全なユニットとしてバランスを取ることが出来る。更に、ヒートシンクアセンブリ５は、回転子アセンブリ４に比較的良好な支持を提供しながら、圧縮機１の組み立てを簡単にする。この点において、回転子アセンブリ４はインペラー４１と回転子コア４３の間に配置される軸受アセンブリ４２を備えることに留意すべきである。これは回転子アセンブリ４に対し比較的短い軸方向の長さが達成され得るという利点がある。更に、軸受アセンブリ４２は２つの間隔を有する軸受４４、４５を備える。これは、例えばシャフトの対向する端部に配置される２つの軸受と比較して回転子アセンブリ４の剛性を増加させるという更なる利点がある。ヒートシンクアセンブリ５が省かれて回転子アセンブリ４が直接フレーム２に固定されるならば、軸受４４、４５のそれぞれをフレーム２に固定しなければならないであろう。回転子アセンブリ４を完全なユニットとしてフレーム２に挿入することは困難又は実際に不可能であると証明される可能性がある。
【００４０】
ヒートシンクアセンブリ５は２つのヒートシンク５１、５２を備え、ヒートシンクのそれぞれはフレーム２に固定される。ヒートシンク５１、５２は軸方向に間隔を有し、よってフレーム２に対する回転子アセンブリ４の径方向の移動は、軸方向に間隔を有する２つの平面内で反対となる。その結果、回転子アセンブリ４の振動と結果として生じる固有の騒音が減少する。第２のヒートシンク５２の脚５６はスリーブ５０の周りで均等に間隔を有する。その結果、回転子アセンブリ５の振動は脚５６の間で均等に分配される。これは特定の方向で発生する過度の振動を避ける。第１のヒートシンク５１はフレーム２の端部壁２１の内部に固定され、第２のヒートシンク５２はフレーム２のポケット２３内に固定される。したがって、径方向の動きに対抗することに加え、ヒートシンクアセンブリ５はインペラー４１により生じる軸方向の推力に対抗する。
【００４１】
第２に、ヒートシンクアセンブリ５は熱を軸受アセンブリ４２から離して運ぶ。その結果、軸受アセンブリ４２及び圧縮機１の寿命が長くなる。第１のヒートシンク５１は円盤形状であり、よって比較的広い表面領域を提供し、その表面領域の上で熱が周囲空気に伝達され得る。一方、第２のヒートシンク５２は複数の脚５６を備える。これは空気がヒートシンク５２の脚５６の間で流れることを可能にする。本実施形態では、脚５６は、圧縮機１を通って軸方向に流れる空気の経路に径方向に延伸する。その結果、比較的良好な熱伝達が第２のヒートシンク５２と周囲空気の間で達成される。ヒートシンク５２の脚５６は流路の制限を形成する。制限の大きさは熱がヒートシンクアセンブリ５から空気に伝達する速度と、圧縮機１の性能（例えば質量の流れ及び／又は効率）に影響する。よって脚５６の数、大きさ及び配置は圧縮機１の性能に悪影響を及ぼさずに冷却を最大限にするよう選択される。脚５６はスリーブ５０の周りに均等に間隔を有し、そのことは熱がヒートシンク５２から周囲空気により均等に伝達することを確実にすることを支援する。尚、各脚５６の幅はスリーブ５０から離れる方向にテーパ状になっている。各脚５６の温度、即ち熱伝達の速度はスリーブ５０から離れるに従って低下する。脚５６の幅をテーパ状にすることにより、ヒートシンク５２の質量は軸受アセンブリ４２の冷却に悪影響を及ぼさずに減少され得る。その結果、より軽量で安価の圧縮機１が実現され得る。
【００４２】
第３に、ヒートシンクアセンブリ５は部分組立品８をフレーム２に固定する際回転子アセンブリ４と固定子アセンブリ６の整列を維持する。その結果、回転子アセンブリ４は固定子アセンブリ６との整列を維持しながらフレーム２内で整列され得る。よって相対的に良好な整列が、回転子アセンブリ４と固定子アセンブリ６との間、及び回転子アセンブリ４とディフューザー３５及びシュラウド３の間に達成され得る。
【００４３】
ヒートシンクアセンブリ５は鋼鉄で作製され、構造上の強度、熱伝導率、熱膨張率及びコストという異なる要件のバランスで選択されたものである。ヒートシンクアセンブリ５は回転子アセンブリ４をフレーム２内で固定するのに使用されるため、ヒートシンクアセンブリ５の構造上の強度は回転子アセンブリ４の振動を最小にするのに重要である。ヒートシンクアセンブリ５の熱伝導率は熱を軸受アセンブリ４２から離して伝達するのに明らかに重要である。軸受４４、４５はシャフト４０及びヒートシンクアセンブリ５のスリーブ５０に固定される。その結果、シャフト４０及びスリーブ５０の不均一な熱膨張は、各軸受４４、４５の内側軌道輪を外側軌道輪に対して移動させ得る。このことは軸受４４、４５の前もっての負荷に不利な変化をもたらし得る。したがって、ヒートシンクアセンブリ５の熱膨張率は軸受アセンブリ４２の寿命を決定するのに重要な役割を果たし得る。このため、ヒートシンクアセンブリ５をシャフト４０の熱膨張係数と厳密に一致する熱膨張係数を有する材料から形成することは利点がある。本実施形態では鋼鉄が使用されたが、圧縮機１の特定の設計要件を満たす他の材料が使用されても良い。
【００４４】
特定の実施形態がこれまで記載されたが、請求項により規定された発明の範囲を逸脱することなく圧縮機及びその組み立て方法の両方に対し、様々な修正がなされても良い。例えば、上述の実施形態では、ヒートシンクアセンブリは３つの有用な機能を提供すると記載される。ことによると、圧縮機はこれらの機能の１つ又は２つしか提供しないヒートシンクアセンブリを備えても良い。例えば、固定子アセンブリをヒートシンクアセンブリに固定せずに、固定子アセンブリは回転子とヒートシンクのアセンブリがフレームに固定された後にフレームに固定されても良い。更に、上述のヒートシンクアセンブリは２つのヒートシンクを備えるが、単一のヒートシンクの使用により１つ以上の上記の利点が達成され得る。
【符号の説明】
【００４５】
１  圧縮機
２  フレーム
３  シュラウド
４  回転子アセンブリ
５  ヒートシンクアセンブリ
６  固定子アセンブリ
７  回路アセンブリ
【図１】
2014219007.tif 000003
【図２】
2014219007.tif 000004
【図３】
2014219007.tif 000005
【図４】
2014219007.tif 000006
【図５】
2014219007.tif 000007
【図６】
2014219007.tif 000008
【図７】
2014219007.tif 000009
【図８】
2014219007.tif 000010
【図９】
2014219007.tif 000011
【図１０】
2014219007.tif 000012
【図１１】
2014219007.tif 000013
【図１２】
2014219007.tif 000014
【図１３】
2014219007.tif 000015
【図１４】
2014219007.tif 000016
【外国語明細書】
2014219007000001.pdf